(57)【要約】【課題】通話中に辞書機能処理等、特定の機能処理の実行中に任意の機能処理の選択を可能にし、各機能処理の同時的実行又はその実行を可能にすること。表示部の任意の画面に表示された情報のコピーを可能にし、その情報を他の機能処理画面に表示可能にすること。【解決手段】通信処理部２、機能処理部４、選択入力部（入力操作部６）及び制御部８を備える。通信処理部は、音声通話等の音声通信、非音声データ通信等の非音声通信の各通信処理を実行し、機能処理部は、通信処理以外の１又は２以上の機能処理から選択された機能処理を実行する。また、選択入力部は、機能処理部に準備され又は準備される１又は２以上の機能処理から実行すべき機能処理を操作入力によって選択し、制御部は、通信処理を含む１又は２以上の機能処理から選択された１又は２以上の機能処理を実行し、又は実行可能に制御する。【選択図】　　　　図１
2004112274.tif 000002
【特許請求の範囲】
【請求項１】
音声通信又は非音声通信の通信処理を実行する通信処理部と、
前記通信処理以外の機能処理を実行する機能処理部と、
この機能処理部で処理する機能処理を操作によって選択する選択入力部と、
前記通信処理又は前記機能処理の実行中に前記選択入力部から操作により加えられる選択入力を受け付け、この選択入力により選択した機能処理を、実行中の前記通信処理又は前記機能処理と同時に実行又はその実行を可能にする制御部と、
を備えたことを特徴とする携帯端末装置。
【請求項２】
前記機能処理部で実行される前記機能処理は、辞書から任意の語彙又は語の選択が可能な辞書機能処理を含むことを特徴とする請求項１記載の携帯端末装置。
【請求項３】
前記制御部は、コピー処理入力に基づき、表示部に表示中の情報の全部又は一部にコピー処理を示すコピー表示をし、この表示に係る情報を記憶部に保持させる処理機能を備えたことを特徴とする請求項１記載の携帯端末装置。
【請求項４】
音声通信又は非音声通信の各通信処理を実行するステップと、
前記通信処理以外の機能処理を実行するステップと、
処理すべき機能処理を選択するステップと、
前記通信処理又は前記機能処理の実行中に、選択された機能処理を、実行中の前記通信処理又は前記機能処理と同時に実行又はその実行を可能にするステップと、
を含むことを特徴とする携帯端末装置の情報処理方法。
【請求項５】
携帯端末装置に、
音声通信又は非音声通信の各通信処理を実行する機能と、
前記通信処理以外の機能処理を実行する機能と、
処理すべき機能処理を選択する機能と、
前記通信処理又は前記機能処理の実行中に、選択された機能処理を、実行中の前記通信処理又は前記機能処理と同時に実行又はその実行を可能にする機能と、
を実現させるための携帯端末装置の情報処理プログラム。
【発明の詳細な説明】
【０００１】
【発明の属する技術分野】
本発明は、携帯電話機、ＰＤＡ（Ｐｅｒｓｏｎａｌ　Ｄｉｇｉｔａｌ　Ａｓｓｉｓｔａｎｔｓ　）、ＰＨＳ（Ｐｅｒｓｏｎａｌ　Ｈａｎｄｙｐｈｏｎｅ　Ｓｙｓｔｅｍ）、ノートパソコン（Ｎｏｔｅ　Ｔｙｐｅ　Ｐｅｒｓｏｎａｌ　Ｃｏｍｐｕｔｅｒ　／　Ｎｏｔｅｂｏｏｋ　Ｐｅｒｓｏｎａｌ　Ｃｏｍｐｕｔｅｒ　）等の携帯端末装置、その情報処理方法及び、その情報処理プログラムに関し、音声通信又は非音声通信の各通信処理、通信処理以外の各機能処理の選択的な実行又は各処理の同時的な処理の実行が可能な携帯端末装置、その情報処理方法及び、その情報処理プログラムに関する。
【０００２】
携帯電話機等のモバイル端末装置は、通信（ｍｏｂｉｌｅ　ｃｏｍｍｕｎｉｃａｔｉｏｎ）　及び情報処理（ｍｏｂｉｌｅ　ｃｏｍｐｕｔｉｎｇ）が可能であって、移動中又は移動先でネットワークを利用した情報活用や意思伝達が行える通信情報ステーションを構成している。
【０００３】
本発明は、音声通信や非音声通信の各通信処理や、メール機能や辞書機能等の各種の機能処理が可能な携帯端末装置に関し、通話等の通信処理や機能処理の実行中に他の機能処理の同時的な処理の実行を可能にする携帯端末装置及びその処理技術に関するものである。
【０００４】
【従来の技術】
ところで、従来の携帯端末装置にはメール機能や辞書機能等の各種の機能が搭載されている。辞書機能には、例えば、英和辞書機能があり、係る辞書機能は、必要な語彙や語義の検索に利用されている。
【０００５】
また、携帯端末装置上の機能には手帳機能があるが、この手帳機能と電話機能とを一体化した先行技術には、例えば、特許文献１が存在している。
【０００６】
【特許文献１】
特開平８−２３７３４６号公報
【０００７】
特許文献１は、電子システム手帳と携帯電話装置とを一体化し、システム手帳機能と無線電話の機能の双方を動作させ、電話番号検索とダイヤル発呼との操作の簡易化を実現したものである。
【０００８】
【発明が解決しようとする課題】
ところで、従来の携帯端末装置における英和辞書機能は、単独の辞書機能上での語彙の呼出しのみが可能であるため、通話中に不明な単語について調べることは困難であるため、通話を切断した後、英和辞書機能を立ち上げる必要があった。通話を中断して辞書機能を立ち上げ、目的とする単語を検索する操作は非常に面倒であり、非能率的である。
【０００９】
また、従来の携帯端末装置では、辞書機能によって得られた結果を記録又は他人に正確に伝達するには、その結果をメモにとる等の方法しかなく、非常に面倒であった。
【００１０】
また、特許文献１に開示された電子システム手帳型携帯電話装置では、通話中に手帳の記憶内容を読み出し、その内容を参照しながら通話を維持し、通話内容をメモ機能に書き込む等の処理を可能にしている。しかし、この電子システム手帳型携帯電話装置では、独立した電子システム手帳と携帯電話装置とを開閉可能に結合したものにすぎない。そのため、携帯電話装置側のダイヤルと、電子システム手帳側のファンクションキーとが別個に設けられる等、機能処理と携帯電話装置の通信処理とは独立した構成であるため、携帯端末装置としては大型で、操作性が低いものである。
【００１１】
そこで、本発明は、通信の他、多数の機能処理が可能な携帯端末装置に関し、通話中に辞書機能処理等、通信処理又は機能処理の実行中に任意の機能処理の選択を可能にし、各機能処理の同時的実行又はその実行を可能にすることを目的とする。
【００１２】
また、本発明の他の目的は、表示部の任意の画面に表示された情報のコピーを可能にし、その情報を他の機能処理画面に表示可能にすることである。
【００１３】
【課題を解決するための手段】
係る課題を解決した本発明に係る携帯端末装置、その情報処理方法及び、その情報処理プログラムの構成は以下の通りである。
【００１４】
本発明の携帯端末装置は、通信処理部（２）、機能処理部（４）、選択入力部（入力操作部６）及び制御部（８）を備えている。通信処理部は、音声通話等の音声通信、非音声データ通信等の非音声通信の各通信処理を実行する手段である。機能処理部は、通信処理以外の１又は２以上の機能処理から選択された機能処理を実行する手段である。選択入力部は、機能処理部に準備され又は準備される１又は２以上の機能処理から実行すべき機能処理を操作入力によって選択する手段である。
【００１５】
そして、制御部は、通信処理を含む１又は２以上の機能処理から選択された１又は２以上の機能処理を実行し、又は実行可能に制御する。係る制御には、
（１）　前記通信処理又は前記機能処理の実行中に前記選択入力部から操作により加えられる選択入力を受け付ける処理、
（２）　選択入力により指示された機能処理を選択する処理、
（３）　選択された機能処理を、実行中の前記通信処理又は前記機能処理と同時に実行する処理、
が含まれる。また、制御（３）　の処理には、選択された機能処理を、実行中の通信処理又は機能処理と同時に実行可能にする処理を含んでいる。なお、この制御部における制御は２以上の機能処理を含むが、単一の機能処理のみを実行することを排除する意味ではない。
【００１６】
係る構成によれば、通信処理のみの実行の他、通信処理又は通信処理以外の機能処理の実行中に、選択入力部からの選択入力に基づき、任意の機能処理や通信処理が選択され、２以上の機能処理を実行することが可能である。例えば、通信機能や他の機能処理の実行中に、機能処理の１つであるゲーム機能やメール機能を立ち上げ、ゲームやメール作成を行うことができる。メール作成では、通話内容をメール化し、迅速な伝送が可能になるであろう。
【００１７】
また、本発明の携帯端末装置において、前記機能処理部で実行される前記機能処理は、辞書から任意の語彙又は語の選択が可能な辞書機能処理を含むことを特徴とする。係る構成とすれば、通話等の通信処理の実行中に、機能処理の１つである辞書機能を立ち上げ、語彙の検索を行うことが可能である。単語等の文字確認や語彙や語義の確認が通話中に行えるので、その検索内容を参照して通話に反映させることができる。
【００１８】
また、本発明の携帯端末装置において、前記制御部は、コピー処理入力に基づき、表示部１０に表示中の情報の全部又は一部にコピー処理を示すコピー表示（カーソル表示１３０）をし、この表示に係る情報を記憶部（メモリ３４）に保持させる処理機能を備えたことを特徴とする。即ち、この制御部における処理機能は、
（１）　表示部に情報の表示中にコピー処理入力を受け付ける、
（２）　表示部に表示中の情報の全部又は一部にコピー処理を示すコピー表示をする、
（３）　この表示に係る情報を記憶部に保持させる、
ことを内容とする。
【００１９】
処理機能（１）　における表示部は液晶表示器等のハードウェアとしての画像表示器に限定されるものではなく、スピーカ等の音声出力を発する表示器であってもよく、このような表示器に情報を表示するソフトウェアである表示プログラムであってもよい。ここで、情報とは、文字情報、図形情報の他、表示器に表示可能なあらゆる情報であり、音声情報も包含する。
【００２０】
また、処理機能（２）　における表示中の情報とは出力中の情報であり、その全部又は一部とは、任意に選択される情報の全部又は一部の他、その情報を構成する画素等の要素の全部又は一部を包含するものである。また、コピー処理とは、その情報の全部又は一部の表示された情報を損傷させることなく、その情報を再現可能に保存する処理である。そして、そのコピー表示とは、情報の全部又は一部のコピー処理すべき部分を表す表示を付す処理であり、この処理には、例えば、コピーすべき部分を区画し、その区画部分に明度反転をするいわゆる画像反転がある。
【００２１】
また、処理機能（３）　における記憶部に保持させるとは、再現可能に一時的にコピー表示によって選択された情報を記憶部に格納することであり、情報を格納する記憶部とは、例えば、辞書を格納する記憶部と別個に設定される、記録消去が可能な記憶部で構成することができる。
【００２２】
また、本発明の携帯端末装置の情報処理方法は、通信処理、機能処理、機能処理の選択処理、制御処理を行う各ステップを包含する。即ち、通信処理では、音声通信又は非音声通信の各通信処理を実行し、機能処理では、通信処理以外の機能処理を実行する。そして、機能処理の選択処理では、まず、処理すべき機能処理を選択する。次に、通信処理又は前記機能処理の実行中に、選択された機能処理を、実行中の前記通信処理又は前記機能処理と同時に実行又はその実行を可能に制御する。なお、通信処理と機能処理を表すステップは、何れが先行してもよく、この情報処理方法は通信処理と機能処理のステップを包含していればよく、時間的先後関係を規定したものではない。
【００２３】
係る情報処理方法によれば、通信処理のみの実行の他、通信処理又は通信処理以外の機能処理の実行中に、選択入力に基づき、任意の機能処理や通信処理が選択され、２以上の機能処理を実行することが可能であり、例えば、通信機能や他の機能処理の実行中に、機能処理の１つであるゲーム機能やメール機能を立ち上げ、ゲームやメール作成を行うことができる。
【００２４】
そして、本発明の携帯端末装置の情報処理プログラムは、携帯端末装置に、音声通信又は非音声通信の各通信処理を実行する機能と、前記通信処理以外の機能処理を実行する機能と、処理すべき機能処理を選択する機能と、前記通信処理又は前記機能処理の実行中に、選択された機能処理を、実行中の前記通信処理又は前記機能処理と同時に実行又はその実行を可能にする機能とを実現させるための携帯端末装置の情報処理プログラムを含むものである。即ち、係る情報処理プログラムによれば、本発明に係る携帯端末装置の情報処理方法を実現することができる。
【００２５】
【発明の実施の形態】
図１は、本発明の実施の形態に係る携帯端末装置及び携帯端末装置の情報処理方法の概要を示す。この携帯端末装置は、携帯電話機、ＰＤＡ、ＰＨＳ、ノートパソコン等の通信及び情報処理機器であって、通常の電話サービスの他、例えば、ＰＤＣ移動パケット通信システム｛ＰＤＣ−Ｐ（Ｐｅｒｓｏｎａｌ　Ｄｉｇｉｔａｌ　Ｃｅｌｌｕｌａｒ−Ｐａｃｋｅｔ）｝網とインターネット網とを結ぶサーバーシステムによりインターネット通信を可能にする構成及び機能を備えている。そこで、この携帯端末装置には、通信処理部２、機能処理部４、入力操作部６、制御部８、表示部１０等が設置されている。入力操作部６は、通信処理部２、機能処理部４の各機能処理について、複数の機能処理から１又は２以上の機能処理を選択する選択入力部を構成する。制御部８は、入力操作部６、通信処理部２又は機能処理部４の制御又は、入力操作部６の選択入力に応じて１又は２以上の機能処理を実行し、又は実行可能とする制御を行う。この実施の形態では、制御部８は通信処理部２及び機能処理部４の制御に用いられているが、各処理部２、４毎が制御部８とは独立した制御部を備えた構成とし、各制御部を連係させる構成としてもよい。また、表示部１０は実行中の処理内容や情報を表示する。
【００２６】
そして、制御部８に格納されている情報処理プログラムで実行される情報処理には、次のような処理が含まれる。
【００２７】
ステップＩ　：音声通信又は非音声通信の各通信処理を実行する処理。
ステップＩＩ：通信処理以外の機能処理を実行する処理。
ステップＩＩＩ：処理すべき機能処理を選択する選択入力を受け付ける処理。
ステップＩＶ：　通信処理又は機能処理の実行中に操作により入力操作部６から加えられた選択入力を受け付け、この選択入力により選択された機能処理を、実行中の通信処理又は機能処理と同時に実行又はその実行を可能にする処理。
【００２８】
従って、係る構成又は処理によれば、通信処理部２では音声通信又は非音声通信の通信処理が実行され、また、機能処理部４では通信処理以外の機能処理が実行される。この場合、機能処理部４で処理すべき機能処理は、使用者が選択入力部である入力操作部６の操作により任意に選択する。そして、制御部８では、通信処理又は機能処理の実行中に入力操作部６の操作により加えられる選択入力を受け付け、この選択入力により選択した機能処理を、実行中の通信処理又は機能処理と同時に実行する制御を行い、又はその実行を可能にする制御が実現される。
【００２９】
そして、制御部８は、入力操作部６からのコピー処理入力に基づき、表示部１０に表示中の情報の全部又は一部にコピー処理を示すコピー表示をし、この表示に係る情報を、制御部８内又はその外部に設置される記憶部に保持させる処理機能を備えてもよい。係る構成とすれば、表示部１０に表示された文字や図形等の情報にコピー表示をし、その情報を記憶部に保持させ、同一又は他の機能処理上で表示部に表示させることができる。
【００３０】
これら携帯端末装置及びその情報処理方法を実現する携帯端末装置は、例えば、図２に示す構成に具現化することができる。
【００３１】
図２において、通信処理部２は、音声通話等の音声通信、音声通信以外の非音声通信として非音声データ通信等の通信処理を実行する手段であって、無線送受信部１２、ベースバンド（Ｂａｓｅｂａｎｄ）処理部１４、インターフェイス（Ｉｎｔｅｒｆａｃｅ　：ＩＦ）１６、アンテナ１８、マイクロフォン２０、スピーカ２２、音源ＬＳＩ２４、バイブレータ２６等を備えている。
【００３２】
無線送受信部１２は、アンテナ１８を通して高周波信号の送受信を行う手段であって、送信側には音声信号又はデータ信号で搬送信号を変調して送信すべきベースバンド変調信号等を生成する変調回路、変調回路の出力信号を増幅する電力増幅器等が備えられ、受信側にはアンテナ１８に受信された高周波信号を直接増幅する高周波増幅部、その高周波信号から音声信号やデータ信号の受信信号を復調する復調回路等が備えられている。
【００３３】
ベースバンド処理部１４は、送受信信号の誤り訂正符号化、インターリーブ（Ｉｎｔｅｒｌｅａｖｅ）処理、フレーム生成及び分解等を行う手段であって、例えば、データを時間多重して送受信するＴＤＭＡ（Ｔｉｍｅ　Ｄｉｖｉｓｉｏｎ　Ｍｕｌｔｉｐｌｅ　Ａｃｃｅｓｓ　）方式ではＴＤＭＡ制御回路又は、ＣＤＭＡ（Ｃｏｄｅ　Ｄｉｖｉｓｉｏｎ　Ｍｕｌｔｉｐｌｅ　Ａｃｃｅｓｓ　）方式ではＣＤＭＡ制御回路等が設置される。
【００３４】
ＩＦ１６には音声増幅器等が設置され、マイクロフォン２０から入力される音声信号を増幅し、又はベースバンド処理部１４で再生された音声信号や音源ＬＳＩ２４からの音声信号を増幅してスピーカ２２から出力する。音源ＬＳＩ２４は、着呼を表すベル音やメロディーの音源である。また、バイブレータ２６は、着呼時、その着呼を振動によって通告する手段である。そして、この実施の形態では、通信処理部２の無線送受信部１２、ベースバンド処理部１４、ＩＦ１６、音源ＬＳＩ２４、バイブレータ２６の各制御には制御部８が用いられる。
【００３５】
また、機能処理部４は、通信処理部２における通信処理以外の機能処理として例えば、辞書機能、メール機能等の各種機能を実行する手段を構成しており、第１の記憶部としてプログラム部２８、ブラウザ部３０、辞書ＤＢ（Ｄａｔａ　Ｂａｓｅ　）３２、第２の記憶部としてメモリ３４、ＬＥＤ表示器３６等が設置されている。この機能処理部４における機能処理の実行には制御部８が用いられている。この実施の形態において、機能処理の選択等の入力に用いられる入力操作部６が設置され、第１の表示部として表示部１０、第２の表示部としてＬＥＤ表示器３６が設置されている。
【００３６】
プログラム部２８には、ＲＯＭ（Ｒｅａｄ　Ｏｎｌｙ　Ｍｅｍｏｒｙ）が用いられ、本発明に係る情報処理プログラムや種々の機能処理プログラム等の各種のソフトウェアが格納されている。また、ブラウザ（Ｂｒｏｗｓｅｒ　）部３０には閲覧ソフトウェアが格納され、この閲覧ソフトウェアによってインターネット世界標準のＨＴＭＬ（Ｈｙｐｅｒ　Ｔｅｘｔ　Ｍａｒｋｕｐ　Ｌａｎｇｕａｇｅ）テキストやＧＩＦ（Ｇｒａｐｈｉｃ　Ｉｎｔｅｒｃｈａｎｇｅ　Ｆｏｒｍａｔ）を読むことができる。そして、辞書ＤＢ３２には、ＲＯＭが用いられ、英和辞書、国語辞書、漢和辞書、英英辞書、韓日辞書、日韓辞書、英韓辞書、韓英辞書等、同一言語又は異言語の１又は２以上の辞書や、語彙のコピー機能処理プログラム等が格納されている。なお、コピー機能処理プログラムは、プログラム部２８に格納してもよい。また、ＬＥＤ表示器３６は、内蔵された図示しないバッテリ等の充電中や充電状況等の告知表示に用いられる。
【００３７】
また、この実施の形態における入力操作部６は、ダイヤル番号や文字情報を入力するテンキーやファンクションキーやスライドスイッチ等で構成され、各キーはタッチスイッチで構成される。また、表示部１０は電源投入時、通信処理や機能処理の完了時の待受画面、その画面上に処理途上の情報等を表示する手段であって、Ｍ行Ｎ列（Ｍ≦Ｎ又はＭ≧Ｎ）の文字表示等が可能であり、例えば、上下２行をファンクション表示に用いるとともに、使用可能な文字表示部に例えば、全角文字で８文字８行（＝６４文字）、半角文字では１６文字８行（＝１２８文字）の表示が可能である。
【００３８】
そして、この携帯端末装置には、例えば、図３に示すような筐体３８が用いられ、この筐体３８の上部側には伸縮可能なアンテナ１８が取り付けられているとともに、その前面側に設けられたパネル部４０には、その上部側からスピーカ２２に対応する発音口４２、表示部１０、入力操作部６、マイクロフォン２０に対応する吸音口４４が設けられている。
【００３９】入力操作部６には、例えば、図４に示すように、左上方にメニュー（Ｍｅｎｕ）キー／サブメニューキー４６、右上方にソフトキー４７、これらメニューキー４６とソフトキー４７との間に円形の確定キー４８、この確定キー４８の周囲に上カーソルキー５０、下カーソルキー５２、左カーソルキー５４、右カーソルキー５６、下カーソルキー５２の下側にクリアキー６０を中心に左側に通話キー６２、終話キー／終了キー６４、数字、文字又は記号を付した３行４列１２個の文字入力キー６６、６８、７０、７２、７４、７６、７８、８０、８２、８４、８６、８８が設置されている。
【００４０】
また、筐体３８の側部には、例えば、図５に示すように、他の指示入力部としてスライドスイッチからなるロックスイッチ９０が設けられている。このロックスイッチ９０は、例えば、処理中の語彙表示等の情報表示の固定やその解除、キー入力の無効やその復帰等に用いられる。
【００４１】
そして、この実施の形態に係る携帯端末装置及びその情報処理方法で実行される処理には、例えば、図６に示すように、待受画面処理９２、メインメニュー処理９４、音声通信処理として音声通話処理９６、非音声通信処理として非音声データ通信処理９８が可能である。この場合、待受画面処理９２は、電源の投入によって実行され、この待受画面処理９２で待受画面が立ち上がると、メニューキー４６の操作でメインメニュー処理９４が実行され、発呼時、文字入力キー６６〜８４のダイヤル入力の後、通話キー６２の操作により又は、着呼時、通話キー６２の操作により、音声通話処理９６が実行される。また、確定キー４８の操作等により非音声データ通信処理９８が実行される。
【００４２】
メインメニュー処理９４では、メール機能処理１００、ダイヤル登録処理１０２、他の機能処理１０４、辞書機能サブルーチン１０６等の処理を選択的に行うことができる。機能処理１０４は、例えば、リダイヤル登録処理である。そして、音声通話処理９６において、入力操作部６の操作によって、サブメニュー処理１０８を起動すると、複数の機能選択１１０、１１２、１１４の他、辞書機能選択１１６が実行される。また、非音声データ通信処理９８において、サブメニュー処理１１８を起動すると、複数の機能選択１２０、１２２、１２４の他、辞書機能選択１２６が実行される。
【００４３】
そして、この携帯端末装置では、通信機能や他の機能処理の実行中に、機能処理の選択入力に基づき、他の機能処理を実行することができ、例えば、図７に示すフローチャートでは、通信処理中に他の機能処理として辞書機能処理を実現している。この実施の形態では、英和辞書機能を例にとっている。
【００４４】
ステップＳ１は、通話中を示している。この通話中とは図６に示す音声通話処理９６の実行中を表している。この通話中において、メニューキー４６を押下すると（ステップＳ２）、サブメニュー処理１０８に飛び、辞書機能選択１１６の処理を行うことができる。この場合、表示部１０には、各種の機能選択１１０〜１１４、辞書機能選択１１６等が表示されるので、その表示を上カーソルキー５０又は下カーソルキー５２の操作で辞書機能選択１１６を選択し、確定キー４８を押下すると、ステップＳ３の辞書機能選択が終了する。ここで、上カーソルキー５０又は下カーソルキー５２の操作により、他の機能を選択し、確定キー４８を押下すれば、ステップＳ４の他の機能処理が起動されることになる。
【００４５】
そして、辞書機能が選択されると、ステップＳ５に移行し、メインメニュー処理９４の処理における辞書機能サブルーチン１０６が起動される。この辞書機能サブルーチン１０６の起動は、例えば、メニューキー４６の操作により表示されるメニューから「設定」、「便利な機能」を選択し、例えば、「英和辞書」を選択して辞書機能を呼び出す。この実施の形態では、通話中から辞書機能サブルーチン１０６を起動しているが、メインメニュー処理９４から辞書機能サブルーチン１０６を起動することも可能である。
【００４６】
この辞書機能サブルーチン１０６に移行すると、例えば、図８の（Ａ）に示すように、表示部１０には画面１２８が表示され、この画面１２８には、英和辞書であることの表示「英」、語彙入力を促す表示として「スペル？」が表示されるとともに、ステップＳ６で入力した語彙入力を表す表示として例えば、「ａｄｖ」が表示され、さらに、語彙入力の末尾にカーソル表示、処理内容を表す情報として例えば、「前方一致検索です」「・ボタンで検索できます」の情報表示、その他のファンクション表示として「Ｍｅｎｕ」等が表示される。例えば、英単語の検索では、半角文字で例えば、３０文字までのスペル入力が可能である。また、入力モードは、カナ入力時（英字モード）、２タッチ入力時（半角小文字、半角大文字モード）とし、入力文字は大文字、小文字の区別はしない。
【００４７】
この語彙入力を表す「ａｄｖ」で確定キー４８及び下カーソルキー５２を押下すると、入力内容が決定されてステップＳ７に移行し、辞書ＤＢ３２にある語彙の検索が開始される。この検索では、ステップＳ８に移行し、語彙入力と辞書ＤＢ３２に格納されている語彙とが適合しているか否かを、図８の（Ａ）に示す表示に従い、語彙入力と辞書ＤＢ３２に格納されている語彙とを前方一致で検索し、その検索の結果、語彙入力が辞書ＤＢ３２に格納されている語彙と適合していない場合には、ステップＳ９に移行し、適合しないこと、即ち、検索候補がない場合には、それを表す表示としてエラー表示をする。このエラー表示は、例えば、図８の（Ｅ）に示すように、「検索候補がありません」と表示し、次の操作を促す。この表示の後、（０）文字入力キー８４又はクリアキー６０を押下すると、ステップＳ６に復帰し、図８の（Ａ）に示す画面に戻り、再入力を促す。この場合、クリアキー６０の操作は、図８の（Ｅ）に示す表示情報を解除するのみで、図８の（Ａ）に示す表示が維持される。即ち、ステップＳ９からステップＳ６に復帰した際、前回入力したスペルを維持すれば、操作の便宜を図ることができる。
【００４８】
ステップＳ８で語彙入力と辞書ＤＢ３２に格納されている語彙とが適合した場合には、ステップＳ１０に移行し、その検索が８件ずつ行われる結果、例えば、図８の（Ｂ）に示すように、８件の語彙を表す候補一覧出力が表示される。一例である語彙入力は、「ａｄｖ」であることから、辞書ＤＢ３２に格納されている語彙として「ａｄ・ｖａｎｃｅ」〜「ａｄ・ｖｅｎ・ｔｕｒｅ」の７種の語が表示されており、この場合、「ａｄ・ｖａｎｃｅ」は、カーソルの位置を表す白黒反転表示が施されている。これは、この単語が選択されていることを表すカーソル表示１３０を表している。
【００４９】
図８の（Ｂ）に示す画面表示において、右カーソルキー５６を操作すると、次候補の語彙として、例えば、８件ずつの語彙が表示され、また、左カーソルキー５４を操作すると、前候補の語彙として、例えば、８件ずつの語彙が表示される。表示件数は表示可能な件数が少なければ、８件以下となる。この場合、画面表示が可能な最大件数又は任意の件数を設定すればよく、８件である必要はない。
【００５０】
また、この表示画面において、ステップＳ１１に移行してクリアキー６０を押下すると、候補一覧出力の表示が解除され、ステップＳ６に戻って再入力が可能になり、また、クリアキー６０を押下することなく、ステップＳ１２に移行し、図８の（Ｂ）に示すカーソル位置を維持しながら、即ち、カーソル表示１３０で１つの語彙を選択し、この状態でメニューキー４６を押下すると、カーソル表示１３０がコピー表示を表すことになり、選択された語彙「ａｄ・ｖａｎｃｅ」がコピーされ（ステップＳ１３）、例えば、図８の（Ｆ）に示す「単語をコピーする」が白黒反転文字で表示され、この表示から確定キー４８を押下すると、コピー処理に係る語彙は、メモリ３４に一時的に呼出し可能に格納される。この処理動作は、他の既存機能の同じサブメニューと同じ動作である。また、確定キー４８を押下することなく、クリアキー６０を押下すると、コピー機能が解除されて図８の（Ｆ）の表示画面から図８の（Ｂ）に示す画面に復帰する。
【００５１】
そして、ステップＳ１０の候補一覧出力の表示から、クリアキー６０やメニューキー４６の押下をすることなく、図８の（Ｂ）に示すカーソル位置を維持しながら、確定キー４８を押下すると、カーソル位置の語彙が決定されてステップＳ１４に移行し、結果出力を表示部１０の画面１２８に表示する。この表示は例えば、図８の（Ｃ）に示すように、選択された語彙「ａｄ・ｖａｎｃｅ」を第１行目に表示し、第２行目以下にその単語の品詞表示「動」「自」とともに意味が羅列状態で表示される。この場合、意味を区切る表示として句読点、コロン、セミコロン等が表示され、さらに、最下行には「Ｍｅｎｕ」のファンクション表示等が表示されている。この表示状態において、下カーソルキー５２を押下すると、画面のスクロールが行われ、図８の（Ｃ）に破線で示すように、他の意味があれば、その表示が現れる。
【００５２】
この状態で、クリアキー６０を押下すると（ステップＳ１５）、図８の（Ｃ）に示す表示が解除され、その直前表示として図８の（Ｂ）に示す表示に戻る。即ち、候補一覧出力の表示に復帰する。
【００５３】
また、図８の（Ｃ）に示す画面表示において、左カーソルキー５４を操作すると、表示された語彙の前候補とその意味が表示され、右カーソルキー５６を操作すると、表示された語彙の次候補とその意味が表示される。係る表示は、左カーソルキー５４又は右カーソルキー５６の操作により、候補一覧の範囲で任意の候補及び意味の表示に変更することができる。
【００５４】
図８の（Ｃ）に示す表示から、ステップＳ１５のクリアキー６０を押下することなく、メニューキー４６を押下すると（ステップＳ１６）、ステップＳ１７に移行し、意味のコピー処理が実行される。この場合、表示部１０の画面１２８には、例えば、図８の（Ｇ）に示すコピーをする旨の表示、例えば、「コピーする」とともに、カーソル表示１３０が現れ、この状態で確定キー４８を押下すると、選択されている情報の全部又は一部、この場合、選択されている意味がコピーされる。即ち、コピー処理に係る意味がメモリ３４に一時的に呼出し可能に格納される。
【００５５】
また、図８の（Ｃ）に示す結果出力画面表示から、ステップＳ１５のクリアキー６０を押下することなく、また、ステップＳ１６のメニューキー４６を押下することなく、ステップＳ１８に移行し、ソフトキー４７を押下すると、ステップＳ１９に移行する。このソフトキー４７を押下しなければ、ステップＳ１４によって得られた表示、即ち、図８の（Ｃ）に示す結果出力を表す画面表示が維持される。
【００５６】
そして、ステップＳ１９では、通話中か否かが判断され、通話中の場合にはステップＳ１に復帰し、再度辞書機能の起動に移行し、通話中でない場合にはステップＳ２０に移行することにより、辞書機能の処理が完了するとともに、待受画面９２に復帰する。
【００５７】
ところで、コピー機能を実行した後、図８の（Ａ）に示す画面表示において、メニューキー４６を押下すると、例えば、図８の（Ｄ）に示す表示が得られる。この場合、メモリ３４に格納されている単語やその意味のコピーを画面上に再現することを表す表示として、「コピーを貼付ける」及び「２タッチ方式で入力」の表示が行われ、何れかの処理が選択可能である。図８の（Ｄ）に示す例では、カーソル表示１３０が重ねられた「コピーを貼付ける」が選択されている。この選択の後、確定キー４８を押下すると、その処理が決定される。また、この表示状態でクリアキー６０を押下すると、コピーの貼付け処理が解除され、図８の（Ｄ）に示す表示から図８の（Ａ）に示す表示に切り替えられる。
【００５８】
このように、通話中に辞書機能を呼び出し、語彙入力を行えば、その意味を容易に検索し、表示することができる。しかも、語彙入力は、語彙の全て又は一部を入力するだけで自動的にその語彙を表示し、その語彙中から所望の単語を選択するとともに、その意味を出力することができる。また、意味の出力画面から単語をカーソル操作のみで変更し、その意味を表示させることができるので、複雑なキー操作が不要である。
【００５９】
また、表示された語彙や意味からその全部や一部をコピーし、他の画面上に貼付けて用いることができ、検索した単語等の情報の有効かつ迅速な活用が可能である。
【００６０】
また、この携帯端末装置及びその情報処理方法は、例えば、図９のフローチャートに示すように、メール作成中に辞書機能やコピー機能を呼び出し、語彙の検索とともに、検索した語彙、単語又はその意味をメール作成に活用することが可能である。図９に示すフローチャートにおいて、ステップＳ２１は、メインメニュー処理９４におけるメール機能処理１００の実行中を表し、ステップＳ３９はメール作成中か否かを判断している。これらステップＳ２１、Ｓ３９以外のステップＳ２２〜Ｓ３８及びステップＳ４０の各処理は、図７に示すプログラム処理と同様であるので、その説明を省略する。
【００６１】
このように、メール作成中に辞書機能を呼び出し、語彙入力を行えば、その意味を容易に検索し、表示することができる。同様に、語彙入力は、語彙の全て又は一部を入力するだけで自動的にその語彙を表示し、その語彙中から所望の単語を選択するとともに、その意味を出力することができる。また、意味の出力画面から単語をカーソル操作のみで変更し、その意味を表示させることができるので、複雑なキー操作が不要である。
【００６２】
また、表示された語彙や意味からその全部や一部をコピーし、メール作成画面上に貼付け、メールの一部に用いることができ、検索した単語等の情報の有効かつ迅速な活用が可能であり、表現の多様化や誤記防止に寄与することができる。
【００６３】
また、この携帯端末装置及びその情報処理方法は、例えば、図１０のフローチャートに示すように、メモリダイヤル登録中に辞書機能やコピー機能を呼び出し、語彙の検索とともに、検索した語彙や単語を人名や住所の記録に活用することが可能である。図１０に示すフローチャートにおいて、ステップＳ４１は、メインメニュー処理９４におけるダイヤル登録処理１０２の実行中を表し、ステップＳ５９はダイヤル登録中か否かを判断している。これらステップＳ４１、Ｓ５９以外のステップＳ４２〜Ｓ５８及びステップＳ６０の各処理は、図７に示すプログラム処理と同様であるので、その説明を省略する。
【００６４】
このように、メモリダイヤル登録中に辞書機能を呼び出し、語彙入力を行えば、その意味を容易に検索し、それを表示することができ、人名、名称、地名等の表記に活用することができる。同様に、語彙入力は、語彙の全て又は一部を入力するだけで自動的にその語彙を表示し、その語彙中から所望の単語を選択するとともに、その意味を出力することができる。また、意味の出力画面から単語をカーソル操作のみで変更し、その意味を表示させることができるので、複雑なキー操作が不要である。
【００６５】
また、表示された語彙や意味からその全部や一部をコピーし、ダイヤル登録画面上に貼付け、人名、名称又は地名等の一部に用いることができ、検索した単語等の情報の有効かつ迅速な活用が可能であり、特殊な人名、名称、地名等の登録入力を正確に行うことができ、誤記防止に寄与することができる。
【００６６】
ところで、この携帯端末装置及びその情報処理方法は、画面表示について、例えば、図１１に示す表示制御プログラムを備えることができる。即ち、ステップＳ７１は、辞書機能の呼出し中の画面表示であり、この表示中に指示入力部であるロックスイッチ９０をロック側に操作すると（ステップＳ７２）、ステップＳ７３に移行し、その表示を固定することができる。そして、この表示固定を解除するには、ロックスイッチ９０を解除側に操作することで（ステップＳ７４）、表示の固定状態が解除され（ステップＳ７５）、メインルーチン又はサブルーチンに移行することができる。
【００６７】
このように、ロックスイッチ９０の操作によって画面表示を簡単な操作で固定状態にし、また、その固定状態を容易に解除することができ、検索した語彙や意味を表示した画面を固定すれば、通話中に誤って表示を変更する等の不都合を回避することができる。
【００６８】
なお、実施の形態では、通信処理と他の機能処理としてメール機能、ダイヤル登録機能、辞書機能を例示したが、ゲーム機能等の機能処理を包含させてもよく、通話中、メール作成中、メモリダイヤル登録中、インターネット接続中、ゲーム処理中等、機能処理中に他の機能処理として、辞書機能を呼び出し、語彙やその意味の検索、検索した単語や意味のコピー等を同様に行うことができる。
【００６９】
また、実施の形態では、各機能処理等の各処理について説明しているが、本発明に係る各制御処理は、実行可能にする処理をも包含するものである。
【００７０】
以上説明したように、本発明の最も好ましい実施の形態等について説明したが、本発明は、上記記載に限定されるものではなく、特許請求の範囲に記載され、又は発明の詳細な説明に開示された発明の要旨に基づき、当業者において様々な変形や変更が可能であることは勿論であり、係る変形や変更は、本発明の範囲に含まれるものである。
【００７１】
（付記１）　音声通信又は非音声通信の通信処理を実行する通信処理部と、
前記通信処理以外の機能処理を実行する機能処理部と、
この機能処理部で処理する機能処理を操作によって選択する選択入力部と、
前記通信処理又は前記機能処理の実行中に前記選択入力部から操作により加えられる選択入力を受け付け、この選択入力により選択した機能処理を、実行中の前記通信処理又は前記機能処理と同時に実行又はその実行を可能にする制御部と、
を備えたことを特徴とする携帯端末装置。
【００７２】
（付記２）　前記機能処理部で実行される前記機能処理は、辞書から任意の語彙又は語の選択が可能な辞書機能処理を含むことを特徴とする付記１記載の携帯端末装置。
【００７３】
（付記３）　前記制御部は、コピー処理入力に基づき、表示部に表示中の情報の全部又は一部にコピー処理を示すコピー表示をし、この表示に係る情報を記憶部に保持させる処理機能を備えたことを特徴とする付記１記載の携帯端末装置。
【００７４】
（付記４）　音声通信又は非音声通信の各通信処理を実行するステップと、
前記通信処理以外の機能処理を実行するステップと、
処理すべき機能処理を選択するステップと、
前記通信処理又は前記機能処理の実行中に、選択された機能処理を、実行中の前記通信処理又は前記機能処理と同時に実行又はその実行を可能にするステップと、
を含むことを特徴とする携帯端末装置の情報処理方法。
【００７５】
（付記５）　携帯端末装置に、
音声通信又は非音声通信の各通信処理を実行する機能と、
前記通信処理以外の機能処理を実行する機能と、
処理すべき機能処理を選択する機能と、
前記通信処理又は前記機能処理の実行中に、選択された機能処理を、実行中の前記通信処理又は前記機能処理と同時に実行又はその実行を可能にする機能と、
を実現させるための携帯端末装置の情報処理プログラム。
【００７６】
（付記６）　前記制御部で実行処理中の前記機能処理で得られる情報を表示する表示部を備えたことを特徴とする付記１記載の携帯端末装置。
【００７７】
（付記７）　前記制御部で実行処理中の前記機能処理で得られる情報又は前記機能処理に用いられる情報を記憶する記憶部を備えたことを特徴とする付記１記載の携帯端末装置。
【００７８】
（付記８）　前記通信処理以外の機能処理は辞書機能処理であることを特徴とする付記４記載の携帯端末装置の情報処理方法。
【００７９】
（付記９）　前記通信処理以外の機能処理はメール機能処理であることを特徴とする付記４記載の携帯端末装置の情報処理方法。
【００８０】
（付記１０）　前記通信処理以外の機能処理はダイヤル登録処理であることを特徴とする付記４記載の携帯端末装置の情報処理方法。
【００８１】
（付記１１）　前記辞書機能処理において、出力画面の表示情報のコピー処理を含むことを特徴とする付記８記載の携帯端末装置の情報処理方法。
【００８２】
（付記１２）　前記通信処理以外の機能処理は辞書機能処理であることを特徴とする付記５記載の携帯端末装置の情報処理プログラム。
【００８３】
（付記１３）　前記通信処理以外の機能処理はメール機能処理であることを特徴とする付記５記載の携帯端末装置の情報処理プログラム。
【００８４】
（付記１４）　前記通信処理以外の機能処理はダイヤル登録処理であることを特徴とする付記５記載の携帯端末装置の情報処理プログラム。
【００８５】
（付記１５）　前記辞書機能処理は、出力画面の表示情報のコピー処理を実行する機能を含むことを特徴とする付記１２記載の携帯端末装置の情報処理プログラム。
【００８６】
（付記１６）　情報を表示する表示部と、
この表示部の表示内容の固定指示又はその解除に用いる指示入力部と、
この指示入力部からの固定指示又はその解除を表す入力に応じて前記表示部の表示内容を固定し、又はその固定を解除する制御部と、
を備えたことを特徴とする携帯端末装置。
【００８７】
（付記１７）　表示部に情報を表示するステップと、
前記表示部の表示内容の固定指示又はその解除を受け付けるステップと、
前記固定指示又はその解除の指示により前記表示部の表示内容を固定し、又はその解除をするステップと、
を含むことを特徴とする携帯端末装置の表示制御方法。
【００８８】
（付記１８）　携帯端末装置に、
表示部に情報を表示する機能と、
前記表示部の表示内容の固定指示又はその解除を受け付ける機能と、
前記固定指示又はその解除の指示により前記表示部の表示内容を固定し、又はその解除をする機能と、
を実現させるための携帯端末装置の表示制御プログラム。
【００８９】
【発明の効果】
以上説明したように、本発明によれば、次の効果が得られる。
【００９０】
（１）　　この携帯端末装置によれば、通信処理又は機能処理の実行中に、選択入力部によって他の機能処理の選択を受け付け、その機能処理を実行できるので、複数の機能処理を簡易な操作で実現することができる。
【００９１】
（２）　　この携帯端末装置において、機能処理部で実行される機能処理は、辞書から任意の語彙又は語の選択が可能な辞書機能処理を含むことにより、機能処理の実行中に、辞書機能を呼び出し、語彙や意味を検索し、その検索結果を機能処理に活用することができる。
【００９２】
（３）　　この携帯端末装置において、制御部がコピー処理入力に基づき、表示部に表示中の情報の全部又は一部にコピー処理を示すコピー表示をし、この表示に係る情報を記憶部に保持させる処理機能を備えれば、表示された情報の全部又は一部をコピー処理として記憶部に退避させるので、その情報を機能処理で再現して活用することができ、処理操作の簡便化とともに、情報処理の充実化を図ることができる。
【００９３】
（４）　　この携帯端末装置の情報処理方法によれば、音声通信又は非音声通信の各通信処理と、通信処理以外の機能処理とを任意に実行できるとともに、各通信処理又は機能処理の実行中に、選択した他の機能処理を簡易に実行することができ、通信と情報処理の多様化を実現することができる。
【００９４】
（５）　　この携帯端末装置の情報処理プログラムによれば、上記情報処理方法を容易に実現することができる。
【図面の簡単な説明】
【図１】本発明の携帯端末装置及びその情報処理方法の実施の形態に係る携帯端末装置の概要を示すブロック図である。
【図２】実施の形態に係る携帯端末装置を示すブロック図である。
【図３】携帯端末装置を示す正面図である。
【図４】携帯端末装置の入力操作部を抽出して示した図である。
【図５】携帯端末装置を示す側面図である。
【図６】実施の形態に係る情報処理方法及び情報処理プログラムの処理内容を示す図である。
【図７】通話中の辞書機能処理等を示すフローチャートである。
【図８】辞書機能処理における画面表示及びその処理を示す図である。
【図９】メール作成中の辞書機能処理等を示すフローチャートである。
【図１０】ダイヤル登録中の辞書機能処理等を示すフローチャートである。
【図１１】画面表示中の表示固定及びその解除を示すフローチャートである。
【符号の説明】
２　通信処理部
４　機能処理部
６　入力操作部（選択入力部）
８　制御部
１０　表示部
２８　プログラム部
３２　辞書ＤＢ
３４　メモリ（記憶部）
４６　メニューキー／サブメニューキー
４７　ソフトキー
４８　確定キー
５０　上カーソルキー
５２　下カーソルキー
５４　左カーソルキー
５６　右カーソルキー
６０　クリアキー
６２　通話キー
６４　終話／終了キー
６６〜８８　文字入力キー
１３０　カーソル表示（コピー表示）
【図１】
2004112274.tif 000003
【図２】
2004112274.tif 000004
【図３】
2004112274.tif 000005
【図４】
2004112274.tif 000006
【図５】
2004112274.tif 000007
【図６】
2004112274.tif 000008
【図７】
2004112274.tif 000009
【図８】
2004112274.tif 000010
【図９】
2004112274.tif 000011
【図１０】
2004112274.tif 000012
【図１１】
2004112274.tif 000013